(57)【要約】【課題】  納骨作業は、開口部が狭いため作業者に無理な体勢を強いる困難な作業である。作業者がいきなり開口部から納骨棚の奥へ骨壷を配置するということは、体勢的に無理がある。一度遺族が開口部から骨壷を確認できる位置に配置し、その後納骨棚の奥へ移動するという手順がとられることも多い。しかるに、墓石及び納骨空間は寸法的に多様であり、その作業対応が難しかった。【解決手段】  納骨空間の寸法に合わせ各ステーを調節固定し、納骨棚とほぼ同一面にトレーを配置できる構造体を用意する。このトレー上に一旦骨壺を載せることで、作業者は体勢を入れ替えて、引き続きトレーをスライドして骨壺を納骨棚まで移動できる。無理な体勢での作業が少なくなり、作業の困難さが軽減できる。【選択図】図１
2018048536.tif 000002
【特許請求の範囲】
【請求項１】
納骨棚の石材角部に密着して配置できる掛け金具を端部に有する第１ステー（水平ステー）と、納骨空間入口部を成す石材角部に密着して配置できる掛け金具を有する第２ステー（鉛直ステー）とを、各ステーに対し自在にスライド可能なる部材で構成したＬ字形フレームで連結し、骨壺を載せたトレーを第１ステー（水平ステー）上でスライドできるようにしたことを特徴とする納骨補助装置。
【請求項２】
第１ステー（水平ステー）、第２ステー（鉛直ステー）それぞれ別々に伸縮自在なる部材を組み込み、簡便なる方法にて両ステーの合体、分割を可能とした請求項１記載の納骨補助装置。
【発明の詳細な説明】
【技術分野】
【０００１】  この発明は、墓石内納骨空間に骨壺を納める際の補助装置に関する。
【背景技術】
【０００２】  従来の納骨補助装置には、完全自動化された自動納骨装置というものがあった（例えば、特許文献１）。しかし、地面に設置された墓の内部に骨壺を搬送し得る納骨補助装置は存在しなかった。現在行われている墓石内部に骨壺を納める際の、位置関係を図５に示す。図５は、２段式納骨空間が設けられた代表的な墓石の図であって、地下にある納骨空間を透視し、納骨用開口部を表現した図になっている。その開口部は狭く、最大でも一尺ｘ２尺（約３０ｃｍｘ６０ｃｍ）程度である。この狭い開口部から、作業者が身をかがめ内部を覗きながら作業を行うのであるが、狭さに対応するためには、作業者は片足を空間内に沈めての作業や、時として腹這い、あるいは横向きに寝た状態での作業を強いられる。
【先行技術文献】
【特許文献】
【０００３】
【特許文献１】特開２００４−２７０２２７号公報
【発明の概要】
【発明が解決しようとする課題】
【０００４】  しかしながら、この作業は身体的苦痛は勿論、精神的にも非常に苦痛を伴うものとなっている。しきたり的に、骨壺は遺族たちが踏みしめる地面には直接置けない（いわゆる“土を付け”てはいけない）。納骨という意味合いを深めるため、一度遺族たちから見える状態に配置した骨壺を、次の動作として奥の所定位置に移動して見えなくするというように、一連の作業が儀式的に行われることも多い。そのため、木材や段ボール紙を用いた簡易的な台が一時的な骨壺置きとして使用されることになる。また、それほど儀式的ではなく作業者が直接骨壺を納骨棚に置く場合でも、骨壺を抱えたままでの体勢の入れ替えは困難なので、一度台の上に骨壺を置くことがなされる場合が多い。しかし、墓石構造が多様であるがゆえ、都度木材等の寸法を納骨空間に合わせて用意することは困難であり、時には台が不安定な状態のまま一連の作業を行うことになる。そこで、この発明は、前記不安定状態を解消しスムースに納骨作業を行える補助装置を提供することを課題とする。
【課題を解決するための手段】
【０００５】  以上の課題を解決するために、この発明は、水平方向、鉛直方向共に伸縮自在なるスライド機構を有するＬ字形構造体であって、両端には納骨空間を構成する石材の角部に密着して配置できる掛け金具を有し、第１ステー（水平ステー）には骨壺を載せたトレーをさらに水平方向にスライドできるようにしたことを特徴とする納骨補助装置である。
【発明の効果】
【０００６】  この発明によれば、納骨棚の高さに合わせ第２ステー（鉛直ステー）を調節固定し、納骨棚の奥行きに合わせ第１ステー（水平ステー）を調節固定することにより、納骨棚とほぼ同一面にトレーを配置できる。このトレー上に骨壺を載せ、続いてトレーをスライドすることで骨壺を納骨棚の縁まで移動できる。トレーは薄板であって納骨棚の縁より若干奥まで移動できるので、押し棒等を用いれば、作業者は比較的楽な体勢で骨壺を納骨空間奥の所定位置に移動することができる。以上のように、納骨作業が安定的に行えるのである。
【図面の簡単な説明】
【０００７】
【図１】この発明の一実施形態を示す斜視図である。
【図２】この発明の一実施形態の構造詳細を示す斜視図である。
【図３】この発明の他の実施形態を示す斜視図である。
【図４】この発明の他の実施形態の構造詳細を示す斜視図である。
【図５】従来の実施形態を示す斜視図である。
【発明を実施するための形態】
【０００８】  この発明の一実施形態を、図１、図２に示す。図１は２段式納骨空間にこの発明の納骨補助装置を設置した状態を示す。図２は、この発明の納骨補助装置自体の構造をより詳細に示す。第１ステー（水平ステー）１はステンレスパイプ２本であり、納骨棚掛け金具３と、第１ステー固定ネジ２の台座になる補強金具とで溶接固定されている。第１ステー（水平ステー）１の上には、ステンレスパイプに対し嵌合状態になる大きさのブラケット９にて脱落防止されたトレー７が載っている。要するに、トレー７は第１ステー（水平ステー）１上をスライドできるのであり、トレー７に対するブラケット９の位置関係で、トレー７は納骨棚掛け金具３側へ第１ステー（水平ステー）１の端部よりも突き出してスライド移動することができる。第２ステー（鉛直ステー）４もステンレスパイプ２本であり、縁石掛け金具６と溶接固定されている。Ｌ字形フレーム８は、第１ステー（水平ステー）１のステンレスパイプに嵌合挿入できる一回り小さい径の同じくステンレスパイプ２本と、第２ステー（鉛直ステー）４の２本のステンレスパイプが嵌合挿入できる一回り大きい径の同じくステンレスパイプ２本と、第２ステー固定ネジ５の台座になる補強金具と、４本のパイプを接続するための板金とで溶接固定されている。以上の第１ステー（水平ステー）１、Ｌ字形フレーム８、第２ステー（鉛直ステー）４を組み合わせれば、各部材間距離は伸縮自在なる構造になり、第１ステー固定ネジ２と第２ステー固定ネジ５を締め付けることで、強固に固定できる。なお、丸パイプに代わる伸縮部材としては、角パイプの組合せ、あるいは板金を使用したレール部品等を用いても良い。
【０００９】「この発明の実施形態の効果」
この実施形態によれば、納骨棚１６の奥行き寸法と高さ寸法が多様に変化したとしても、それに合わせて第１ステー（水平ステー）１と第２ステー（鉛直ステー）４の位置を調節固定することで剛体の一時的な骨壺置き台を構成できる。さらに、骨壺を載せたトレー７を納骨棚奥へ移動するのであるが、前記の通りトレー７自体はステンレスの薄板でできており、しかも納骨棚１６の縁よりオーバーラップして移動できるので、次の段階としてのトレー７から納骨棚１６への骨壺の移動がスムースに行える。
【００１０】「この発明の他の実施形態」
この発明の他の実施形態を、図３、図４に示す。図３は１段式納骨空間を表す。図４は、この発明の他の実施形態である納骨補助装置自体の構造をより詳細に示す。図１の実施形態では、第１ステー（水平ステー）１と第２ステー（鉛直ステー）４がＬ字形フレーム８にて連結一体構造となっていたが、本実施形態では、Ｌ字形フレーム８を第１部材１０、第２部材１１に分割し、それぞれを第１ステー（水平ステー）１と第２ステー（鉛直ステー）４に嵌合挿入する構造になっている。第１部材１０、第２部材１１は組み合わせた後、フレーム脱着ネジ１２を締め付ければＬ字形フレーム８と同様の一体形にすることができる。
【００１１】「この発明の他の実施形態の効果」
図３で示す１段式納骨空間であれば納骨棚の高さは考慮する必要が無いので、第２ステー（鉛直ステー）４を利用する必要性が無くなる。調整固定が水平方向だけなので作業が多少早く行えることになる。なお、Ｌ字形に一体化すれば２段式納骨空間で使用することはもちろんであるが、１段式納骨空間でも使用できる。分割した状態にすれば、この納骨補助装置自体を搬送する場合に嵩張らないという利点がある。合体、分割の手段としては、フレーム脱着ネジ１２に代わり、バネとピンを利用した方法等でも良い。
【符号の説明】
【００１２】１  第１ステー（水平ステー）
２  第１ステー固定ネジ
３  納骨棚掛け金具
４  第２ステー（鉛直ステー）
５  第２ステー固定ネジ
６  縁石掛け金具
７  トレー
８  Ｌ字形フレーム
９  ブラケット
１０  第１部材
１１  第２部材
１２  フレーム脱着ネジ
１３  押し棒
１４  骨壷
１５  納骨空間開口部
１６  納骨棚
１７  木材
１８  板
【図１】
2018048536.tif 000003
【図２】
2018048536.tif 000004
【図３】
2018048536.tif 000005
【図４】
2018048536.tif 000006
【図５】
2018048536.tif 000007